(57)【要約】【課題】  情報処理装置にプリンタが接続されていない状態でも、印刷設定内容の指定を行なうことができるようにし、更には複数の画像がある場合に繰り返し作業を行なわないで印刷設定内容を確認できるようにする。【解決手段】  情報処理装置２０１では、プリンタが接続されてない状態でも、記憶媒体１０２に記憶された画像を１画像づつ次々とディスプレイ１０５'に表示して、印刷したい画像を選択させるとともに、印刷枚数や印刷用紙サイズ等を設定する印刷設定画面を表示する。また、少なくても１つの印刷データが作成され、記憶媒体１０２に記憶された画像をディスプレイ１０５'に表示している状態において、所定の操作により、ディスプレイ１０５'に作成された印刷データに対応する画像や印刷設定内容を一覧表示する。【選択図】  図６
2006018401.tif 000002
【特許請求の範囲】
【請求項１】
画像データを記録又は再生する情報処理装置であって、
印刷装置が接続されていない状態でも、表示画面を介して印刷する画像及びその印刷設定内容の指定を受け付ける指定手段と、
前記指定手段にて指定された画像及び印刷設定内容に従って印刷データを作成する印刷データ作成手段と、
前記印刷データ作成手段にて作成した印刷データに対応する画像の識別画像とその印刷設定内容とを表示画面に一覧表示する一覧表示手段とを備えることを特徴とする情報処理装置。
【請求項２】
画像データを記録又は再生する情報処理装置と、前記情報処理装置に接続された印刷装置とを備える印刷システムであって、
前記情報処理装置は、
表示画面を介して印刷する画像及びその印刷設定内容の指定を受け付ける指定手段と、
前記指定手段にて指定された画像及び印刷設定内容に従って印刷データを作成する印刷データ作成手段と、
印刷ジョブの印刷処理状況を前記印刷装置から取得する取得手段と、
前記印刷データ作成手段にて作成した印刷データと前記印刷装置の印刷ジョブとを対応付ける対応付け手段と、
前記印刷データ作成手段にて作成した印刷データに対応する画像の識別画像とその印刷設定内容と前記印刷処理状況とを前記表示画面に一覧表示する一覧表示手段とを備えることを特徴とする印刷システム。
【請求項３】
前記一覧表示される印刷処理状況とは、少なくとも、印刷済み、印刷中、未印刷という状況の少なくともいずれかを含むことを特徴とする請求項２に記載の印刷システム。
【請求項４】
前記印刷データ作成手段にて作成した印刷データに識別情報を付加することにより、印刷データと印刷ジョブとを対応付けることを特徴とする請求項２に記載の印刷システム。
【請求項５】
前記一覧表示手段による一覧表示において印刷設定内容の変更を受け付ける変更手段を備えることを特徴とする請求項２に記載の印刷システム。
【請求項６】
前記変更手段にて印刷設定内容が変更された印刷データを前記印刷装置に出力する出力手段を備え、
前記印刷装置は、前記印刷設定内容が変更された印刷データに従って印刷ジョブを更新することを特徴とする請求項５に記載の印刷システム。
【請求項７】
前記識別画像とは、サムネイル画像又はアイコン画像であることを特徴とする請求項２に記載の印刷システム。
【請求項８】
前記印刷設定内容には、印刷枚数、フチの有無、印刷用紙サイズの少なくともいずれかを含むことを特徴とする請求項２に記載の印刷システム。
【請求項９】
画像データを記録又は再生する情報処理装置に用いられるコンピュータプログラムであって、
印刷装置が接続されていない状態でも、表示画面を介して印刷する画像及びその印刷設定内容の指定を受け付ける指定処理と、
前記指定処理にて指定された画像及び印刷設定内容に従って印刷データを作成する印刷データ作成処理と、
前記印刷データ作成処理にて作成した印刷データに対応する画像の識別画像とその印刷設定内容とを表示画面に一覧表示する一覧表示処理とを実行させることを特徴とするコンピュータプログラム。
【発明の詳細な説明】
【技術分野】
【０００１】
本発明は、画像データを記録又は再生する情報処理装置、印刷システム、コンピュータプログラムに関する。
【背景技術】
【０００２】
従来の電子カメラ等の情報処理装置において、例えばプリンタを接続し、記憶媒体に記憶した画像データを印刷するシステムが実用化されている。このようなシステムにおいて、印刷する画像が複数存在するとき、個々の印刷設定内容を確認するためには、ある一つの画像を選択し、メニュー画面等で印刷設定内容を確認し、また次の画像を選択し、印刷設定内容を確認するといったような繰り返し作業が必要であった。
【０００３】
このような繰り返し作業による操作効率の低下を改善するために、ネットワークに対応したプリンタと情報処理装置とが相互に接続されている状態において、印刷する対象に関連する画像と印刷ジョブの関連情報を一覧表示するシステムが考案されている（例えば、特許文献１、特許文献２を参照）。
【０００４】
しかし、そのような一覧表示上では、印刷ジョブの削除、一時停止、優先実行等の変更しかできず、また、情報処理装置とプリンタとが接続されていない状態では、印刷設定内容等の変更はできなかった（例えば、特許文献１を参照）。また、印刷が終了した印刷ジョブは一覧表示上から自動的に削除されていた（例えば、特許文献２を参照）。
【０００５】
【特許文献１】特開２００１−７５７４７号公報
【特許文献２】特開平１０−３０１９００号公報
【発明の開示】
【発明が解決しようとする課題】
【０００６】
上述したように従来の電子カメラ等の情報処理装置では、プリンタが接続されていない状態では、印刷設定内容等の変更はできないという課題があった。
【０００７】
また、情報処理装置とプリンタが接続されている状態でも、既にプリンタに出力済みの印刷データの印刷設定内容を変更し、その変更された印刷設定内容に従って印刷することができないという課題があった。
【０００８】
また、印刷ジョブは印刷が終了すると削除されてしまうため、再印刷をしたいときに、一度設定した印刷設定内容等を再利用することができないという課題があった。
【０００９】
本発明は上記のような点に鑑みてなされたものであり、情報処理装置にプリンタが接続されていない状態でも、印刷設定内容の指定を行なうことができるようにし、更には複数の画像がある場合に繰り返し作業を行なわないで印刷設定内容を確認できるようにすることを目的とする。更に、既にプリンタに出力済みの印刷データの印刷設定内容を変更し、その変更された印刷設定内容に従って印刷できるようにすることを目的とする。更にまた、印刷が終了した後でも、一度設定した印刷設定内容を再利用できるようにすることを目的とする。
【課題を解決するための手段】
【００１０】
本発明の情報処理装置は、画像データを記録又は再生する情報処理装置であって、印刷装置が接続されていない状態でも、表示画面を介して印刷する画像及びその印刷設定内容の指定を受け付ける指定手段と、前記指定手段にて指定された画像及び印刷設定内容に従って印刷データを作成する印刷データ作成手段と、前記印刷データ作成手段にて作成した印刷データに対応する画像の識別画像とその印刷設定内容とを表示画面に一覧表示する一覧表示手段とを備える点に特徴を有する。
本発明の印刷システムは、画像データを記録又は再生する情報処理装置と、前記情報処理装置に接続された印刷装置とを備える印刷システムであって、前記情報処理装置は、表示画面を介して印刷する画像及びその印刷設定内容の指定を受け付ける指定手段と、前記指定手段にて指定された画像及び印刷設定内容に従って印刷データを作成する印刷データ作成手段と、印刷ジョブの印刷処理状況を前記印刷装置から取得する取得手段と、前記印刷データ作成手段にて作成した印刷データと前記印刷装置の印刷ジョブとを対応付ける対応付け手段と、前記印刷データ作成手段にて作成した印刷データに対応する画像の識別画像とその印刷設定内容と前記印刷処理状況とを前記表示画面に一覧表示する一覧表示手段とを備える点に特徴を有する。
本発明のコンピュータプログラムは、画像データを記録又は再生する情報処理装置に用いられるコンピュータプログラムであって、印刷装置が接続されていない状態でも、表示画面を介して印刷する画像及びその印刷設定内容の指定を受け付ける指定処理と、前記指定処理にて指定された画像及び印刷設定内容に従って印刷データを作成する印刷データ作成処理と、前記印刷データ作成処理にて作成した印刷データに対応する画像の識別画像とその印刷設定内容とを表示画面に一覧表示する一覧表示処理とを実行させる点に特徴を有する。
【発明の効果】
【００１１】
本発明によれば、情報処理装置に印刷装置が接続されていない状態でも、印刷する画像及びその印刷設定内容の指定を行なうことができる。また、指定した画像の識別画像とその印刷設定内容を一覧表示することができるので、その一覧表示上にて印刷設定内容の確認ができる。
【００１２】
また、情報処理装置に印刷装置が接続されている状態で、指定した画像の識別画像とその印刷設定内容とに加えて、印刷済み、印刷中、未印刷といった印刷処理状況を一覧表示することができる。そして、その一覧表示上にて、例えば印刷前の印刷ジョブに対しては印刷のキャンセルや一時停止の処理だけではなく、印刷設定内容を変更して印刷できるようにしたり、印刷済みの印刷ジョブに対しては、印刷設定内容を変更しての再印刷ができるようしたりすれば、使用効率が向上する。
【発明を実施するための最良の形態】
【００１３】
以下、添付図面を参照して、本発明の好適な実施形態について説明する。
（第１の実施形態）
第１の実施形態では、情報処理装置とプリンタとが接続されていない状態で、印刷データを作成することについて説明する。図１に、本発明を適用した電子カメラ等の情報処理装置の構成例を示す。画像処理装置は、画像データ等を入力する入力インターフェイス１０１を備える。
【００１４】
また、入力インターフェイス１０１から入力される画像データ等を記憶する記憶媒体１０２と、記憶媒体１０２の所定の位置へのデータの書き込みや記憶媒体１０２に記憶されたデータの読み出し等を制御する記憶媒体制御部１０３とを備える。
【００１５】
また、表示部１０５の表示用メモリとして用いられるビデオメモリ１０４と、記憶媒体１０２に記憶された画像データの画像やその関連情報等を表示する液晶ディスプレイ等からなる表示部１０５とを備える。
【００１６】
また、ボタン等の押下操作によるユーザからの指示をディジタル信号に変換して、その信号を制御部１０８に送信する入力手段１０６と、外部表示装置１０９等の外部機器とのデータの入出力を行なう場合に用いる入出力インターフェイス１０７と、入力インターフェイス１０１、記憶媒体制御部１０３、ビデオメモリ１０４、入出力インターフェイス１０７、及び表示部１０５の動作制御を行なう制御部１０８とを備える。
【００１７】
制御部１０８は内部にＲＯＭを所持し、ＲＯＭには動作制御に必要なプログラム等が格納されている。これらのプログラムは、入力インターフェイス１０１から入力される画像データ等を記憶媒体１０２に格納したり、記憶媒体１０２に記憶された画像データの画像を表示部１０５に表示したりする制御プログラムから構成される。
【００１８】
入力インターフェイス１０１は、画像データ等を入力するためのインターフェイスであり、入力インターフェイス１０１から入力される画像データは記憶媒体制御部１０３による既知の処理の後に記憶媒体１０２に書き込まれる。記憶媒体１０２とは、典型的には磁気ディスク、ＤＶＤ等の光学ディスク又は半導体メモリ等で構成されるが、その構成は限定されるものではない。
【００１９】
表示部１０５は、例えば記憶媒体１０２に記憶された画像データの画像やその関連情報、印刷設定画面等のメニュー画面等を表示する。ビデオメモリ１０４は、表示部１０５へ画像や印刷設定画面等のメニュー画面等の表示用メモリとして用いられる。記憶媒体１０２に記憶されたデータを表示部１０５に表示するには、記憶媒体制御部１０３により記憶媒体１０２の所望のデータを読み込み、いったんビデオメモリ１０４に格納した後、表示部１０５に表示する。
【００２０】
入力手段１０６は、ユーザによるボタン等の押下操作があると、その指示をディジタル信号に変換して制御部１０８に送信する。制御部１０８は、送信された信号をもとに動作制御又は処理を実行する。この一連の動作により所望の動作制御又は処理を行なうことができる。
【００２１】
入出力インターフェイス１０７は、外部表示装置１０９等の外部機器間とのデータの入出力に用いられ、外部表示装置１０９においては、画像やその関連情報等の表示を行なう。
【００２２】
図２は情報処理装置２０１の外観図の一例である。ディスプレイ１０５'は、図１に示した表示部１０５に相当するものであり、例えば画像やその関連情報、印刷設定画面等のメニュー画面等を表示する。なお、これらの画面は、ディスプレイ１０５'ではなく、外部表示装置１０９に表示するようにしてもよい。
【００２３】
十字ボタン２０３ａ、２０３ｂ、２０３ｃ、２０３ｄは、所望の選択を行なうための後述のカーソルを移動させるボタンであり、ボタン２０３ａは上へ、ボタン２０３ｂは右へ、ボタン２０３ｃは下へ、ボタン２０３ｄは左へ、それぞれカーソルを移動させる。また、決定ボタン２０２は、例えば変更内容を決定するときやディスプレイ１０５'に表示される画像やメニュー画面等の表示を切り替えるときに使用するボタンである。
【００２４】
図３は、印刷したい画像を指定し、その画像に対して印刷設定を行ない、印刷するために必要な印刷データを作成する一連の動作を示したフローチャートである。印刷データとは、印刷を行なうときに、情報処理装置２０１からプリンタに出力するデータであり、例えば画像や後述の印刷設定内容等を含む。
【００２５】
まず、ユーザは、記憶媒体１０２に記憶された画像を１画像づつ次々とディスプレイ１０５'に表示させる（ステップＳ３０１）。そして、印刷したい画像が表示されたら、決定ボタン２０２を押下し（ステップＳ３０２）、印刷したい画像を選択する。決定ボタン２０２を押下しない場合（ステップＳ３０２）は、ステップＳ３０１の画像再生の操作を繰り返すことができる。
【００２６】
決定ボタン２０２を押下すると、ディスプレイ１０５'に印刷枚数や印刷用紙サイズ等を設定する印刷設定画面が表示される（ステップＳ３０３）。その印刷設定画面上において、印刷したい画像に対して印刷枚数や印刷用紙サイズ等の印刷設定を行なう（ステップＳ３０４）。
【００２７】
印刷設定が完了したら、後述するプリントボタンの選択操作により（ステップＳ３０５）、ステップＳ３０４の操作にて設定された印刷設定内容に従って印刷データが作成される（ステップＳ３０６）。印刷データの作成が完了すると、作成した印刷データに対応する画像がディスプレイ１０５'に表示される（ステップＳ３０７）。
【００２８】
ステップＳ３０２の操作により、印刷したい画像を選択したが、この画像を印刷するのをやめたい場合は、後述するキャンセルボタンを選択操作により（ステップＳ３０５）、ステップＳ３０４の操作にて設定された印刷設定内容が破棄され、印刷データの作成が中止され、作成を中止した印刷データに対応する画像がディスプレイ１０５'に表示される（ステップＳ３０７）。
【００２９】
印刷したい画像が他に存在する場合は（ステップＳ３０８）、ステップＳ３０１に戻り、同様の処理操作を繰り返す。印刷したい画像が他に存在しない場合は（ステップＳ３０８）、印刷データ作成の処理が終了する。
【００３０】
以下、図３のフローチャートの各ステップについて、情報処理装置の外観図を用いて説明する。まず、図３のフローチャートにおけるステップＳ３０１の画像再生処理について、図４を参照して説明する。図４は、記憶媒体１０２に記憶された画像をディスプレイ１０５'に表示した状態を示す図である。記憶媒体１０２に記憶された画像が複数枚存在するときに、十字ボタン２０３ｂ又は２０３ｄを押下すると、現在表示されている画像とは別の画像がディスプレイ１０５'に表示される。この操作を繰り返すことにより、記憶媒体１０２に記憶された画像を確認し、印刷したい画像を選択することができる。
【００３１】
次に、図３のフローチャートにおけるステップＳ３０２の決定ボタン２０２の判断処理と、ステップＳ３０３の印刷設定画面表示処理について、図５を参照して説明する。ステップＳ３０１の操作により、印刷したい画像をディスプレイ１０５'に表示させ、決定ボタン２０２を押下することにより、ディスプレイ１０５'に図５のような印刷設定画面を表示させる。印刷設定画面とは、印刷する条件を設定するための画面である。決定ボタン２０２を押下しない場合は、ステップＳ３０１の操作を繰り返すことができる。
【００３２】
まず、図５に示すようにディスプレイ１０５'に表示される印刷設定画面の詳細について説明する。印刷枚数、フチ、用紙サイズ等は印刷する条件を決定する項目であり、以下、これらをまとめて印刷設定項目とする。印刷設定項目５０１は印刷枚数であり、印刷設定項目５０２はフチであり、印刷設定項目５０３は用紙サイズである。
【００３３】
また、印刷設定項目の具体的な内容を示すものを印刷設定内容とする。例えば、印刷設定項目５０１の印刷枚数の具体的な内容である印刷設定内容５０４は、１枚、２枚等という印刷枚数であり、図示例では印刷枚数が「１枚」が設定されている。印刷設定項目５０２のフチの具体的な内容である印刷設定内容５０５は、あり、なし等という印刷する画像のフチの有無であり、図示例ではフチ「あり」が設定されている。印刷設定項目５０３の用紙サイズの具体的な内容である印刷設定内容５０６は、Ｌ判、Ａ４、はがき等という印刷に用いる用紙サイズであり、図示例では用紙サイズが「Ｌ判」が設定されている。
【００３４】
カーソル５０９は、所望の印刷設定内容の位置に十字ボタン２０３ａ、２０３ｂ、２０３ｃ、２０３ｄを押下して移動させ、その内容を選択することができる。プリントボタン５０７は、カーソル５０９をプリントボタン５０７に移動させ、決定ボタン２０２を押下することにより選択され、これにより指定した印刷設定内容に従って印刷データが作成される。キャンセルボタン５０８は、カーソル５０９をキャンセルボタン５０８に移動させ、決定ボタン２０２を押下することにより選択され、これにより印刷データの作成が中止される。
【００３５】
次に、図３のフローチャートにおけるステップＳ３０４の印刷設定内容の指定処理について、図５を参照して説明する。図５のディスプレイ１０５'に表示されている印刷設定画面において、ユーザは十字ボタン２０３ａ又は２０３ｃを押下し、カーソル５０９を変更したい印刷設定内容に移動させることにより、印刷設定内容を選択する。選択した内容を変更する場合は、決定ボタン２０２を押下し、印刷設定内容を変更可能な状態にする。変更可能な状態は、例えばカーソル５０９の色が変化することによって確認することができる。印刷設定内容が変更可能な状態において、十字ボタン２０３ａ又は２０３ｃを押下することにより、印刷設定内容を変更することができる。変更した印刷設定内容を決定するには、決定ボタン２０２を押下する。
【００３６】
例えば、印刷設定内容の一つである印刷設定内容５０４の印刷枚数を変更する場合は、まず、十字ボタン２０３ａ又は２０３ｃを用い、カーソル５０９を印刷設定内容５０４に移動させ、決定ボタン２０２を押下することにより、カーソル５０９の色が変わり、印刷設定内容５０４が変更可能な状態となる。この状態において、十字ボタン２０３ａを押下することにより印刷設定内容５０４の印刷枚数を増やし、十字ボタン２０３ｃを押下することにより印刷設定内容５０４の印刷枚数を減らすことができる。所望の印刷枚数に変更した後、決定ボタン２０２を押下することにより、印刷設定内容５０４を決定することができる。
【００３７】
同様の操作にて印刷画像のフチの有無（印刷設定内容５０５）や印刷用紙の用紙サイズ（印刷設定内容５０６）も変更することができる。
【００３８】
次に、図３のフローチャートにおけるステップＳ３０５の印刷データ作成の判断処理と、ステップＳ３０６の印刷データ作成処理と、ステップＳ３０７の画像再生処理について、図５を参照して説明する。ステップＳ３０４の操作により、印刷設定内容指定が完了したら、カーソル５０９をプリントボタン５０７に移動させ、決定ボタン２０２を押下することにより、指定した印刷設定内容に従って印刷データが作成され、記憶媒体１０２に記憶される。印刷データの作成後は、印刷データを作成した画像がディスプレイ１０５'に表示される。
【００３９】
プリントボタン５０７を選択せずに、カーソル５０９をキャンセルボタン５０８に移動させ、決定ボタン２０２を押下すると、今までの指定した印刷設定内容が破棄され、印刷データの作成が中止される。印刷データの作成中止後は、印刷データの作成が中止された画像がディスプレイ１０５'に表示される。
【００４０】
次に、図６を用いて、ステップＳ３０６の操作にて、少なくても１つ印刷データが作成され、記憶媒体１０２に記憶された状態において、その印刷データに対応する画像やその関連情報を一覧表示する方法を説明する。少なくても１つの印刷データが作成され、記憶媒体１０２に記憶された画像をディスプレイ１０５'に表示している状態において、決定ボタン２０２を長押しすることにより、ディスプレイ１０５'にステップＳ３０６の操作にて作成された印刷データに対応する画像や印刷設定内容を一覧表示することができる。以下、この一覧表示を印刷情報一覧表示とする。ここでいう長押しとは、例えばボタンを長時間押しつづけることであるが、他の手法により印刷情報一覧表示が表示されるようにしてもよい。
【００４１】
図６のディスプレイ１０５'に表示されている項目について説明すると、印刷設定項目６０１は画像、印刷設定項目６０２は印刷枚数、印刷設定項目６０３はフチ、印刷設定項目６０４は印刷用紙サイズを表す印刷設定項目である。画像６０１ａ、画像６０１ｂ、及び画像６０１ｃはステップＳ３０６の操作にて印刷データを作成した画像を縮小したものである（サムネイル画像）。なお、画像６０１ａ〜６０１ｃとして、印刷データに対応する画像のアイコン画像等を表示するようにしてもよい。なお、ユーザの好みに応じて、ディスプレイ１０５'に一覧表示する印刷設定項目を変更してもよい。
【００４２】
図９は、図３のステップＳ３０６の操作により作成された印刷データに対応する印刷設定内容を変更し、印刷データを更新する一連の操作を示したフローチャートである。まず、ユーザは、既述の方法で、印刷情報一覧表示をディスプレイ１０５'に表示させる（ステップＳ９０１）。
【００４３】
そして、決定ボタン２０２を長押しすることにより（ステップＳ９０２）、ディスプレイ１０５'にカーソルを表示させる（ステップＳ９０３）。決定ボタン２０２を長押ししない場合（ステップＳ９０２）は、印刷情報一覧表示がディスプレイ１０５'に表示されつづける。
【００４４】
ステップＳ９０３の操作によりカーソルが表示されたら、カーソルを移動させ、変更したい印刷設定内容を選択する（ステップＳ９０４）。選択した印刷設定内容を所望の印刷設定内容に変更し、決定ボタン２０２を押下することにより仮変更を決定する（ステップＳ９０５）。
【００４５】
ステップＳ９０５の操作にて決定ボタン２０２を押下すると、本当に変更するかどうか確認する画面が表示される（ステップＳ９０６）。本当に印刷設定内容を変更する場合は、はいボタンを選択操作すると（ステップＳ９０７）、変更した印刷設定内容に従って印刷データが更新され（ステップＳ９０８）、ディスプレイ１０５'には印刷情報一覧表示が表示される（ステップＳ９０９）。印刷設定内容を変更しない場合は、いいえボタンを選択操作することにより（ステップＳ９０３）、印刷データの更新は行なわれず、ディスプレイ１０５'に印刷情報一覧表示が表示される（ステップＳ９０９）。
【００４６】
他に変更したい印刷設定内容がある場合は（ステップＳ９１０）、ステップＳ９０１〜Ｓ９０９までの操作を繰り返す。他に変更したい印刷設定内容がない場合は（ステップＳ９１０）、印刷設定内容の変更が終了となる。
【００４７】
図９のフローチャートにおけるステップＳ９０４の変更したい内容の選択処理と、ステップＳ９０５の印刷設定内容仮変更処理とについて、図７を参照して説明する。ステップＳ９０３の操作によりカーソル７０５が表示されたら、ユーザは十字ボタン２０３ａ、２０３ｂ、２０３ｃ、２０３ｄを用いて、カーソル７０５を変更したい印刷設定内容に移動させることにより、所望の印刷設定内容を選択する。
【００４８】
そして、決定ボタン２０２を押下することにより、選択した印刷設定内容が変更可能な状態になる。変更可能な状態は、カーソル７０５の色が変化することによって確認することができる。
【００４９】
印刷設定内容が変更可能な状態において、十字ボタン２０３ａ又は２０３ｃを押下することにより所望の印刷設定内容に変更し、決定ボタン２０２を押下することにより、印刷設定内容を仮変更することができる。
【００５０】
図９のフローチャートにおけるステップＳ９０７の本当に変更するか否かの判断処理と、ステップＳ９０８の印刷データ更新処理と、ステップＳ９０９の印刷情報一覧表示処理とについて、図８を参照して説明する。ステップＳ９０５の操作にて決定ボタン２０２を押下すると、図８のような変更確認画面がディスプレイ１０５'に表示される。
【００５１】
ここで、本当に印刷設定内容を変更する場合は、十字ボタン２０３ｂ又は２０３ｄを押下して、はいボタン８０１にカーソル８０３を移動させ、決定ボタン２０２を押下することにより、変更した印刷設定内容に従って印刷データが更新される。印刷データの更新が完了すると、印刷情報一覧表示がディスプレイ１０５'に表示される。
【００５２】
印刷設定内容を変更しない場合は、十字ボタン２０３ｂ又は２０３ｄを押下して、いいえボタン８０２にカーソル８０３を移動させ、決定ボタン２０２を押下することにより、仮変更した印刷設定内容を破棄し、印刷データの更新は行なわれずに、印刷情報一覧表示がディスプレイ１０５'に表示される。
【００５３】
例えば、印刷設定内容の一つである印刷設定内容７０２ｃの印刷枚数を２枚から５枚に変更する場合について図７と図８を用いて説明する。まず、図７において、既述の方法にて、印刷情報一覧表示をディスプレイ１０５'に表示し、決定ボタン２０２を長押しすることでカーソル７０５を表示させる。
【００５４】
十字ボタン２０３ａ、２０３ｂ、２０３ｃ、２０３ｄを用いて、カーソル７０５を印刷設定内容７０２ｃに移動させ、印刷設定内容７０２ｃを選択する。そこで、決定ボタン２０２を押下することにより、カーソル７０５の色が変わり、印刷設定内容７０２ｃが変更可能な状態となる。十字ボタン２０３ａを一回押下することにより、印刷設定内容７０２ｃの印刷枚数を１枚増やし、十字ボタン２０３ｃを一回押下することにより、印刷設定内容７０２ｃの印刷枚数を１枚減らすことができる。２枚から５枚に増やすには、十字ボタン２０３ａを３回押下すればよい。
【００５５】
印刷設定内容７０２ｃを５枚にしたら、決定ボタン２０２を押下することにより、印刷設定内容７０２ｃが仮変更され、図８のような印刷設定内容の変更を確認する画面がディスプレイ１０５'に表示される。本当に印刷設定内容を変更する場合は、十字ボタン２０３ｂ又は２０３ｄを押下してカーソル８０３を移動させ、はいボタン８０１を選択し、決定ボタン２０２を押下することで印刷設定内容７０２ｃの印刷枚数が２枚から５枚に変更され、変更された印刷設定内容に従って印刷データが更新される。印刷データの更新が完了すると、ディスプレイ１０５'には印刷情報一覧表示が表示される。
【００５６】
同様な操作（図９のステップＳ９０１〜Ｓ９０９）にて、フチ設定内容や用紙サイズ設定内容等の他の印刷設定内容についても変更することができ、１つの印刷設定内容が変更されるたびに、印刷データが更新される。
【００５７】
このように印刷情報一覧表示上にて印刷設定内容を変更し、変更した印刷設定内容に従って印刷データが更新されることにより、印刷情報一覧表示されている他の印刷データとの関連を考慮しながら印刷設定内容を変更でき、操作効率が向上する。
【００５８】
（第２の実施形態）
第２の実施形態では、情報処理装置とプリンタとが接続されている状態で、印刷データを作成することについて説明する。図１０に、本発明を適用した印刷システムの構成例を示す。なお、図１０において、上記第１の実施形態の図１と同じ符号のものは、同様の機能又は処理を行なうものであり、その詳細な説明を省略する。
【００５９】
入出力インターフェイス１００１は、外部表示装置１０９やプリンタ１００２等の外部機器とのデータの入出力に用いられ、プリンタ１００２は、印刷データの出力や印刷状況情報の入力等に用いられる。
【００６０】
プリンタ１００２は、例えば情報処理装置から出力される印刷データをもとに印刷ジョブを作成し、印刷データに従って印刷を行なう。
【００６１】
図１１は、印刷したい画像を指定し、その画像に対して印刷設定を行ない、印刷するために必要な印刷データを作成し、その印刷データをプリンタに出力するという情報処理装置２０１での一連の動作を示したフローチャートである。なお、図１１において、上記第１の実施形態の図３と同じ符号のものは、同様の操作又は処理を行なうものであり、その詳細な説明を省略する。
【００６２】
上記第１の実施形態で説明したのと同様な操作にて、印刷データを作成する（ステップＳ３０１〜Ｓ３０６）。作成された印刷データは、入出力インターフェイス１００１によりプリンタ１００２に出力される（ステップＳ１１０１）。
【００６３】
図１２は、情報処理装置２０１から出力された印刷データを入力し、その印刷データに従って印刷を開始するというプリンタ１００２での一連の動作を示したフローチャートである。プリンタ１００２では、印刷データを入力し（ステップＳ１２０１）、入力した印刷データに従って印刷ジョブを作成し（ステップＳ１２０２）、印刷を開始する（ステップＳ１２０３）。
【００６４】
次に、印刷データに対応する画像やその関連情報、及び、印刷処理情報の一覧表示について、図１３を参照して説明する。図１３のディスプレイ１０５'には、印刷設定内容と印刷状況が表示されている。図１３において、上記第１の実施形態の図６と同じ符号のものは、同様の表示内容又は機能であり、その詳細な説明を省略する。
【００６５】
印刷状況はプリンタ１００２より取得され、印刷の処理がどの程度行なわれたかということを表す。印刷状況１３０１ａは印刷済みであり、印刷処理が完了したことを表す。印刷状況１３０１ｂは印刷中であり、印刷処理が実行中であることを表す。印刷状況１３０１ｃは未印刷であり、印刷の実行を待っていることを表す。ユーザの好みに応じて、ディスプレイ１０５'に一覧表示する印刷設定項目を変更してもよい。
【００６６】
図１４は、印刷状況が未印刷の状態において、図１１のステップＳ３０６の操作により作成された印刷データに対応する印刷設定内容を変更し、変更した印刷設定内容に従って印刷データを更新し、その印刷データをプリンタ１００２に出力するという情報処理装置２０１での一連の操作を示したフローチャートである。なお、図１４において、上記第１の実施形態の図９と同じ符号のものは、同様の操作又は処理を行なうものであり、その詳細な説明を省略する。まず、ユーザは、既述の方法で、印刷情報一覧表示をディスプレイ１０５'に表示させる（ステップＳ１４０１）。
【００６７】
その後、印刷設定内容をステップＳ９０２〜Ｓ９０６及びＳ９０７の判断処理にてyesを選択する操作により印刷設定内容を仮変更する。
【００６８】
そして、印刷処理状況が未印刷の場合は（ステップＳ１４０２）、変更した印刷設定内容に従って印刷データが更新され（ステップＳ９０８）、更新された印刷データをプリンタ１００２に出力し（ステップＳ１４０４）、ディスプレイ１０５'には印刷情報一覧表示が表示される（ステップＳ１４０５）。
【００６９】
印刷処理状況が未印刷ではない場合は（ステップＳ１４０２）、印刷データを更新できませんというエラーをディスプレイ１０５'に表示し（ステップＳ１４０３）、ステップＳ１４０１の印刷情報一覧表示に戻る。
【００７０】
図１５は、ステップＳ１４０４にて更新された印刷データが情報処理装置２０１より出力され、その印刷データに従って印刷を行なうというプリンタ１００２での一連の処理を示したフローチャートである。図１４のステップＳ１４０４の操作により、更新された印刷データがプリンタ１００２に出力されると、プリンタ１００２は、更新された印刷データを入力し（ステップＳ１５０１）、更新される前の印刷データに対応する印刷ジョブを更新された印刷データに付加された識別情報により選択し（ステップＳ１５０２）、その印刷ジョブを削除し（ステップＳ１５０３）、更新された印刷データに従って印刷ジョブを新たに作成し（ステップＳ１５０４）、新しい印刷ジョブの印刷を開始する（ステップＳ１５０５）。識別情報とは、例えば印刷データを作成したときに印刷データに付加され、印刷データを更新しても変化しない情報であるが、これに限るものではない。
【００７１】
ここで、例えば、印刷設定内容の１つである印刷枚数を２枚から５枚に変更する場合の情報処理装置２０１とプリンタ１００２での処理について説明する。まず、情報処理装置２０１にて、印刷設定内容の変更及び印刷データの更新をする。この処理は、上記第１の実施形態で説明したのと同様の操作にて行ない、その説明は省略する。
【００７２】
そして、印刷枚数が２枚から５枚に更新された印刷データをプリンタ１００２に出力する。プリンタ１００２では、情報処理装置２０１から出力された印刷データに付加された識別情報をもとに、印刷枚数が２枚という印刷の実行を待っている印刷ジョブを選択し、その印刷ジョブを削除する。そして、印刷枚数が５枚という印刷データに従って、新たに印刷ジョブを作成し、印刷を開始する。
【００７３】
複数の印刷ジョブがプリンタ１００２に存在している状態において、ステップＳ１３０９の新印刷ジョブの作成操作にて作成された印刷ジョブの印刷実行順番を変更してもよい。例えば、新規作成された印刷ジョブは、優先的に印刷を実行するということなどである。
【００７４】
また、印刷状況が未印刷の印刷データについては、印刷情報一覧表示に印刷中止ボタンを設け、そのボタンを選択操作することにより、印刷データ及びその印刷データに対応するプリンタの印刷ジョブを削除することにより、印刷の実行を取り消してもよい。
【００７５】
従来、既にプリンタに存在する印刷ジョブに含まれる印刷設定内容を変更して印刷したい場合、まず、ユーザはプリンタに出力済みの印刷ジョブを削除し、新たに、削除した印刷ジョブに対応する画像を選択し、所望の印刷設定内容を指定し、印刷データを新規作成しなければならなかったが、本発明によれば、印刷情報一覧表示上において、印刷データに含まれる印刷設定内容を変更し、印刷データを更新するだけでよく、操作効率が向上する。
【００７６】
以上、印刷状況が未印刷の場合を説明したが、印刷状況が印刷済みや印刷中でも、例えば以下のような処理が可能であるが、これらの処理に限ったものではない。印刷処理状況が印刷済みの場合は、印刷情報一覧表示上において、既述の方法を用い、印刷設定内容を変更することにより、変更された内容に従って新たに印刷データを作成し、その印刷データをプリンタ１００２に出力することにより、印刷を実行してもよい。このことにより、一度印刷した画像の印刷設定内容を一部分だけ変更して、再び印刷したいとき等、印刷設定画面を表示させ、すべての印刷設定内容を指定することなく、印刷情報一覧表示上で、以前作成した印刷データに含まれる印刷設定内容を利用した再印刷が容易にでき、操作効率が向上する。
【００７７】
印刷処理状況が印刷中の場合は、印刷情報一覧表示上において、既述の方法を用い、印刷設定内容を変更することにより、変更された内容に従って印刷データを更新し、その印刷データをプリンタ１００２に出力する。プリンタ１００２は、更新される前の印刷データに対応する印刷中である印刷処理を中止し、更新された印刷データに従って新たに印刷ジョブを作成し、印刷を実行してもよい。このことにより、所望の印刷設定内容ではない印刷設定内容に対応する印刷データをユーザが、間違ってプリンタに出力し、印刷が開始されてしまったとき等、従来であれば、印刷の中止要求をプリンタに出力し、新たに所望の印刷設定内容に対応する印刷データを作成する必要があったが、本発明によれば、印刷情報一覧表示上にて印刷設定内容を変更し、印刷データを更新するだけで、所望の印刷設定内容にて容易に印刷を開始することができ、操作効率が向上する。
【００７８】
なお、本発明の目的は、上述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００７９】
この場合、記憶媒体から読み出されたプログラムコード自体が上述した実施形態の機能を実現することになり、プログラムコード自体及びそのプログラムコードを記憶した記憶媒体は本発明を構成することになる。
【００８０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００８１】
また、コンピュータが読み出したプログラムコードを実行することにより、上述した実施形態の機能が実現されるだけでなく、そのプログラムコードの指示に基づき、コンピュータ上で稼動しているＯＳ(基本システム或いはオペレーティングシステム)などが実際の処理の一部又は全部を行ない、その処理によって上述した実施形態の機能が実現される場合も含まれることは言うまでもない。
【００８２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行ない、その処理によって上述した実施形態の機能が実現される場合も含まれることは言うまでもない。
【図面の簡単な説明】
【００８３】
【図１】第１の実施形態の情報処理装置の構成例を示す図である。
【図２】第１の実施形態の情報処理装置の外観図である。
【図３】第１の実施形態において、印刷したい画像を指定し、その画像に対して印刷設定を行ない、印刷するために必要な印刷データを作成する一連の動作を示したフローチャートである。
【図４】第１の実施形態においてディスプレイに画像を表示させた状態の情報処理装置の外観図である。
【図５】第１の実施形態においてディスプレイに印刷設定画面を表示させた状態の情報処理装置の外観図である。
【図６】第１の実施形態においてディスプレイに印刷情報一覧表示を表示させた状態の情報処理装置の外観図である。
【図７】第１の実施形態においてディスプレイに表示された印刷情報一覧表示で印刷設定項目内容を変更できる状態にある情報処理装置の外観図である。
【図８】第１の実施形態においてディスプレイに変更確認画面を表示させた状態の情報処理装置の外観図である。
【図９】第１の実施形態において、作成された印刷データに対応する印刷設定内容を変更し、印刷データを更新する一連の操作を示したフローチャートである。
【図１０】第２の実施形態の印刷システムの構成例を示す図である。
【図１１】第２の実施形態において、印刷したい画像を指定し、その画像に対して印刷設定を行ない、印刷するために必要な印刷データを作成し、その印刷データをプリンタに出力するという情報処理装置での一連の動作を示したフローチャートである。
【図１２】第２の実施形態において、情報処理装置から出力された印刷データを入力し、その印刷データに従って印刷を開始するというプリンタでの一連の動作を示したフローチャートである。
【図１３】第２の実施形態においてディスプレイに印刷情報一覧表示を表示させた状態の情報処理装置の外観図である。
【図１４】第２の実施形態において、作成された印刷データに対応する印刷設定内容を変更し、変更した印刷設定内容に従って印刷データを更新し、その印刷データをプリンタに出力するという情報処理装置での一連の操作を示したフローチャートである。
【図１５】第２の実施形態において、更新された印刷データが情報処理装置より出力され、その印刷データに従って印刷を行なうというプリンタでの一連の処理を示したフローチャートである。
【符号の説明】
【００８４】
１０１    入力インターフェイス
１０２    記憶媒体
１０３    記憶媒体制御部
１０４    ビデオメモリ
１０５    表示部
１０６    入力手段
１０７    入出力インターフェイス
１０８    制御部
１０９    外部表示装置
２０１    情報処理装置
１００１  入出力インターフェイス
１００２  プリンタ
【図１】
2006018401.tif 000003
【図２】
2006018401.tif 000004
【図３】
2006018401.tif 000005
【図４】
2006018401.tif 000006
【図５】
2006018401.tif 000007
【図６】
2006018401.tif 000008
【図７】
2006018401.tif 000009
【図８】
2006018401.tif 000010
【図９】
2006018401.tif 000011
【図１０】
2006018401.tif 000012
【図１１】
2006018401.tif 000013
【図１２】
2006018401.tif 000014
【図１３】
2006018401.tif 000015
【図１４】
2006018401.tif 000016
【図１５】
2006018401.tif 000017